(57)【要約】【課題】  録画したコンテンツや録画予定のコンテンツの情報、および機器の状態に関する情報等を効果的にユーザに伝えることが可能な情報蓄積装置を提供すること。【解決手段】  コンテンツの蓄積を行い、電源状態として電源オン状態およびスタンバイ状態を含む情報蓄積装置であって、電源オン状態のときに、コンテンツに関するコンテンツ情報および情報蓄積装置に関する内部情報を含んだ情報の収集を行う情報収集部と、電源オン状態からスタンバイ状態に遷移するまでの間に、情報収集部が収集した情報を取得する情報取得部と、スタンバイ状態のときに、情報取得部が取得した情報を順に表示する表示部と、を含むことを特徴とする、情報蓄積装置としての録画再生機器１０が提供される。【選択図】図３
2009124508.tif 000002
【特許請求の範囲】
【請求項１】
コンテンツの蓄積を行い、電源状態として電源オン状態およびスタンバイ状態を含む情報蓄積装置であって、
前記電源オン状態のときに、コンテンツに関するコンテンツ情報および前記情報蓄積装置に関する内部情報を含んだ情報の収集を行う情報収集部と；
前記電源オン状態から前記スタンバイ状態に遷移するまでの間に、前記情報収集部が収集した情報を取得する情報取得部と；
前記スタンバイ状態のときに、前記情報取得部が取得した情報を順に表示する表示部と；
を含むことを特徴とする、情報蓄積装置。
【請求項２】
電源状態を前記電源オン状態に遷移させて、前記表示部に表示された情報に基づいた処理をユーザの操作指示に従って実行するように制御する実行制御部をさらに含むことを特徴とする、請求項１に記載の情報蓄積装置。
【請求項３】
前記情報収集部は、蓄積されたコンテンツのコンテンツ情報を収集し、前記表示部は、前記蓄積されたコンテンツのコンテンツ情報を表示し、前記実行制御部は、ユーザの操作指示に従って、前記蓄積されたコンテンツの再生を促す処理の実行を制御することを特徴とする、請求項２に記載の情報処理装置。
【請求項４】
前記情報収集部が収集した情報の前記表示部への表示の頻度および／または有無を設定する表示設定部をさらに含み、
前記情報取得部は、前記表示設定部の設定に基づいて前記情報収集部が収集した情報の取得を行うことを特徴とする、請求項１に記載の情報蓄積装置。
【請求項５】
前記表示設定部は、前記表示部に表示する情報の優先順位を設定することを特徴とする、請求項４に記載の情報蓄積装置。
【請求項６】
前記情報収集部は、広告情報の収集を行うことを特徴とする、請求項１に記載の情報蓄積装置。
【請求項７】
コンテンツの蓄積を行い、電源状態として電源オン状態およびスタンバイ状態を含む情報蓄積装置であって、
前記電源オン状態のときに、コンテンツに関するコンテンツ情報および前記情報蓄積装置に関する内部情報を含んだ情報の収集を行う情報収集部と；
前記電源オン状態から前記スタンバイ状態に遷移するまでの間に、前記情報収集部が収集した情報を、ネットワークで接続された他の機器に転送して表示させる情報転送部と；
を含むことを特徴とする、情報蓄積装置。
【請求項８】
電源状態を前記電源オン状態に遷移させて、前記他の機器に転送され、当該他の機器に表示された情報に基づいた処理を、ユーザの操作指示に従って実行するように制御する実行制御部をさらに含むことを特徴とする、請求項７に記載の情報蓄積装置。
【請求項９】
前記情報収集部は、蓄積されたコンテンツのコンテンツ情報を収集し、前記表示部は、前記蓄積されたコンテンツのコンテンツ情報を表示し、前記実行制御部は、ユーザの操作指示に従って、前記蓄積されたコンテンツの再生を促す処理の実行を制御することを特徴とする、請求項８に記載の情報処理装置。
【請求項１０】
前記情報収集部が収集した情報の前記他の機器への転送の頻度および／または有無を設定する転送設定部をさらに含み、
前記情報取得部は、前記転送設定部の設定に基づいて前記情報収集部が収集した情報の転送を行うことを特徴とする、請求項７に記載の情報蓄積装置。
【請求項１１】
前記転送設定部は、前記他の機器に表示する情報の優先順位を設定することを特徴とする、請求項１０に記載の情報蓄積装置。
【請求項１２】
前記情報収集部は、広告情報の収集を行うことを特徴とする、請求項７に記載の情報蓄積装置。
【請求項１３】
コンテンツの蓄積を行い、電源状態として電源オン状態およびスタンバイ状態を含む電子機器に情報を表示する情報表示方法であって、
前記電源オン状態のときに、コンテンツに関するコンテンツ情報および前記電子機器に関する内部情報を含んだ情報の収集を行う情報収集ステップと；
前記電源オン状態から前記スタンバイ状態に遷移するまでの間に、前記情報収集ステップで収集した情報を取得する情報取得ステップと；
前記スタンバイ状態のときに、前記情報取得ステップで取得した情報を順に表示する表示ステップと；
を含むことを特徴とする、情報表示方法。
【請求項１４】
コンテンツの蓄積を行い、電源状態として電源オン状態およびスタンバイ状態を含む電子機器に情報を表示する情報表示方法であって、
前記電源オン状態のときに、コンテンツに関するコンテンツ情報および前記電子機器に関する内部情報を含んだ情報の収集を行う情報収集ステップと；
前記電源オン状態から前記スタンバイ状態に遷移するまでの間に、前記情報収集ステップで収集した情報を、ネットワークで接続された他の機器に転送して表示させる情報転送ステップと；
を含むことを特徴とする、情報表示方法。
【請求項１５】
コンテンツの蓄積を行い、電源状態として電源オン状態およびスタンバイ状態を含むコンピュータに情報を表示する情報表示方法であって、コンピュータに、
前記電源オン状態のときに、コンテンツに関するコンテンツ情報および前記電子機器に関する内部情報を含んだ情報の収集を行う情報収集ステップと；
前記電源オン状態から前記スタンバイ状態に遷移するまでの間に、前記情報収集ステップで収集した情報を取得する情報取得ステップと；
前記スタンバイ状態のときに、前記情報取得ステップで取得した情報を順に表示する表示ステップと；
を含む処理を実行させることを特徴とする、コンピュータプログラム。
【請求項１６】
コンテンツの蓄積を行い、電源状態として電源オン状態およびスタンバイ状態を含むコンピュータに情報を表示する情報表示方法であって、コンピュータに、
前記電源オン状態のときに、コンテンツに関するコンテンツ情報および前記電子機器に関する内部情報を含んだ情報の収集を行う情報収集ステップと；
前記電源オン状態から前記スタンバイ状態に遷移するまでの間に、前記情報収集ステップで収集した情報を、ネットワークで接続された他の機器に転送して表示させる情報転送ステップと；
を含む処理を実行させることを特徴とする、コンピュータプログラム。
【発明の詳細な説明】
【技術分野】
【０００１】
本発明は、情報蓄積装置、情報表示方法およびコンピュータプログラムに関する。
【背景技術】
【０００２】
番組を録画・再生する録画再生機器において、番組を録画する媒体はビデオテープから大容量のハードディスクや光ディスク等のディスクメディアに移行している。大容量のハードディスクや光ディスク等には、番組を数十〜数百時間録画できるので、簡単に、また手軽に番組（コンテンツ）の録画や消去ができるようになってきている。そして、録画可能な番組（コンテンツ）の数が膨大になり、また番組（コンテンツ）を管理するための補助的な情報を扱うことができる機器が増加している。番組（コンテンツ）を管理するための補助的な情報としては、例えばＥＰＧ（Ｅｌｅｃｔｒｏｎｉｃ  Ｐｒｏｇｒａｍ  Ｇｕｉｄｅ；電子番組ガイド）情報やタイトル情報等がある。
【０００３】
そして、番組（コンテンツ）を管理するための補助的な情報を用いることで、自動的に番組の録画を行う録画再生機器がある。このような録画再生機器では、ユーザが予めコンテンツのジャンルや出演する芸能人の名前等をキーワードとして入力し、入力されたキーワードがＥＰＧ情報に含まれていれば、そのコンテンツを録画することができる。そのため、このような録画再生機器には、ユーザが認識していないコンテンツも録画されるようになってきている。
【０００４】
この様に、膨大になってきている視聴可能なコンテンツの情報をユーザに伝える技術として、例えば特許文献１が開示されている。特許文献１では、番組情報を抽出してテレビ画面の一部に表示する技術が開示されている。
【０００５】
【特許文献１】特開２００２−３２０１６１号公報
【発明の開示】
【発明が解決しようとする課題】
【０００６】
しかし、特許文献１の技術では、テレビ画面に番組情報を表示させているので、番組情報を確認するためにはテレビの電源を入れる必要がある。つまり、コンテンツの情報をユーザに伝えるためには、コンテンツを表示する表示装置の電源も入れる必要があり、ユーザは効率的にコンテンツの情報を確認することができないという問題があった。
【０００７】
そこで、本発明は、上記問題に鑑みてなされたものであり、本発明の目的とするところは、録画したコンテンツや録画予定のコンテンツの情報、および機器の状態に関する情報等を効果的にユーザに伝えることが可能な、新規かつ改良された情報蓄積装置、情報表示方法およびコンピュータプログラムを提供することにある。
【課題を解決するための手段】
【０００８】
上記課題を解決するために、本発明のある観点によれば、コンテンツの蓄積を行い、電源状態として電源オン状態およびスタンバイ状態を含む情報蓄積装置であって、電源オン状態のときに、コンテンツに関するコンテンツ情報および情報蓄積装置に関する内部情報を含んだ情報の収集を行う情報収集部と、電源オン状態からスタンバイ状態に遷移するまでの間に、情報収集部が収集した情報を取得する情報取得部と、スタンバイ状態のときに、情報取得部が取得した情報を順に表示する表示部と、を含むことを特徴とする、情報蓄積装置が提供される。
【０００９】
かかる構成によれば、情報収集部は電源オン状態のときに、コンテンツに関するコンテンツ情報および情報蓄積装置に関する内部情報を含んだ情報の収集を行い、情報取得部は情報蓄積装置の状態が電源オン状態からスタンバイ状態に遷移するまでの間に、情報収集部が収集した情報を取得し、表示部は、情報蓄積装置の状態がスタンバイ状態のときに、情報取得部が取得した情報を順に表示する。その結果、情報蓄積装置に備えられた表示部に情報を表示することで、ユーザに対して録画したコンテンツや録画予定のコンテンツの情報、および機器の状態に関する情報等を効果的に伝えることができる。
【００１０】
上記情報蓄積装置は、電源状態を電源オン状態に遷移させ、表示部に表示された情報に基づいた処理をユーザの操作指示に従って実行するように制御する実行制御部をさらに含んでいてもよい。かかる構成によれば、実行制御部は、電源状態を電源オン状態に遷移させ、表示部に表示された情報に基づいた処理をユーザの操作指示に従って実行するように制御する。その結果、ユーザは、表示部に表示された情報を見て情報蓄積装置に操作指示を行うことで、情報蓄積装置は直接的に当該情報に対応した処理を実行することができる。
【００１１】
情報収集部は、蓄積されたコンテンツのコンテンツ情報を収集し、表示部は、蓄積されたコンテンツのコンテンツ情報を表示し、実行制御部は、ユーザの操作指示に従って、蓄積されたコンテンツの再生を促す処理の実行を制御してもよい。その結果、ユーザの嗜好に基づいて自動的に蓄積されたコンテンツの存在や、ユーザ自身が録画予約をしておいたために蓄積されたコンテンツの存在をユーザに知らしめることができる。また、そのように蓄積されたコンテンツの情報が表示されている場合にユーザからの操作指示を受けた場合に、コンテンツの再生を促す処理を実行することによって、簡易な操作でコンテンツの再生を行うことができる。
【００１２】
上記情報蓄積装置は、情報収集部が収集した情報の表示部への表示の頻度および／または有無を設定する表示設定部をさらに含み、情報取得部は、表示設定部の設定に基づいて情報収集部が収集した情報の取得を行ってもよい。かかる構成によれば、表示設定部は情報収集部が収集した情報の表示部への表示の頻度および／または有無を設定し、報取得部は、表示設定部の設定に基づいて情報収集部が収集した情報の取得を行う。その結果、ユーザが希望する情報の表示頻度を高くしたり、希望しない情報の表示頻度を低くしたり、または表示させないようにしたりすることができる。
【００１３】
表示設定部は、表示部に表示する情報の優先順位を設定してもよい。また、情報収集部は、広告情報の収集を行ってもよい。
【００１４】
また、上記課題を解決するために、本発明の別の観点によれば、コンテンツの蓄積を行い、電源状態として電源オン状態およびスタンバイ状態を含む情報蓄積装置であって、電源オン状態のときに、コンテンツに関するコンテンツ情報および情報蓄積装置に関する内部情報を含んだ情報の収集を行う情報収集部と、電源オン状態からスタンバイ状態に遷移するまでの間に、情報収集部が収集した情報を、ネットワークで接続された他の機器に転送して表示させる情報転送部と、を含むことを特徴とする、情報蓄積装置が提供される。
【００１５】
かかる構成によれば、情報収集部は、情報蓄積装置の状態が電源オン状態のときに、コンテンツに関するコンテンツ情報および情報蓄積装置に関する内部情報を含んだ情報の収集を行い、情報転送部は、情報蓄積装置の状態が電源オン状態からスタンバイ状態に遷移するまでの間に、情報収集部が収集した情報を、ネットワークで接続された他の機器に転送して表示させる。その結果、その結果、情報蓄積装置とネットワークで接続された他の機器に収集した情報を転送することで、他の機器において収集した情報を表示させる等することにより、ユーザに対して録画したコンテンツや録画予定のコンテンツの情報、および機器の状態に関する情報等を効果的に伝えることができる。
【００１６】
上記情報蓄積装置は、電源状態を電源オン状態に遷移させ、他の機器に転送された情報に基づいた処理をユーザの操作指示に従って実行するように制御する実行制御部をさらに含んでもよい。かかる構成によれば、実行制御部は、電源状態を電源オン状態に遷移させ、他の機器に転送された情報に基づいた処理をユーザの操作指示に従って実行するように制御する。その結果、ユーザは、他の機器、例えば携帯端末に転送され、表示された情報を見て情報蓄積装置に操作指示を行うことで、情報蓄積装置は直接的に当該情報に対応した処理を実行することができる。
【００１７】
情報収集部は、蓄積されたコンテンツのコンテンツ情報を収集し、表示部は、蓄積されたコンテンツのコンテンツ情報を表示し、実行制御部は、ユーザの操作指示に従って、蓄積されたコンテンツの再生を促す処理の実行を制御してもよい。その結果、ユーザの嗜好に基づいて自動的に蓄積されたコンテンツの存在や、ユーザ自身が録画予約をしておいたために蓄積されたコンテンツの存在をユーザに知らしめることができる。また、そのように蓄積されたコンテンツの情報が表示されている場合にユーザからの操作指示を受けた場合に、コンテンツの再生を促す処理を実行することによって、簡易な操作でコンテンツの再生を行うことができる。
【００１８】
上記情報蓄積装置は、情報収集部が収集した情報の他の機器への転送の頻度および／または有無を設定する転送設定部をさらに含み、情報取得部は、転送設定部の設定に基づいて情報収集部が収集した情報の転送を行ってもよい。
【００１９】
転送設定部は、他の機器に表示する情報の優先順位を設定してもよい。また、情報収集部は、広告情報の収集を行ってもよい。
【００２０】
また、上記課題を解決するために、本発明の別の観点によれば、コンテンツの蓄積を行い、電源状態として電源オン状態およびスタンバイ状態を含む電子機器に情報を表示する情報表示方法であって、電源オン状態のときに、コンテンツに関するコンテンツ情報および電子機器に関する内部情報を含んだ情報の収集を行う情報収集ステップと、電源オン状態からスタンバイ状態に遷移するまでの間に、情報収集ステップで収集した情報を取得する情報取得ステップと、スタンバイ状態のときに、情報取得ステップで取得した情報を順に表示する表示ステップと、を含むことを特徴とする、情報表示方法が提供される。
【００２１】
また、上記課題を解決するために、本発明の別の観点によれば、コンテンツの蓄積を行い、電源状態として電源オン状態およびスタンバイ状態を含む電子機器に情報を表示する情報表示方法であって、電源オン状態のときに、コンテンツに関するコンテンツ情報および電子機器に関する内部情報を含んだ情報の収集を行う情報収集ステップと、電源オン状態からスタンバイ状態に遷移するまでの間に、情報収集ステップで収集した情報を、ネットワークで接続された他の機器に転送して表示させる情報転送ステップと、を含むことを特徴とする、情報表示方法が提供される。
【００２２】
また、上記課題を解決するために、本発明の別の観点によれば、コンテンツの蓄積を行い、電源状態として電源オン状態およびスタンバイ状態を含むコンピュータに情報を表示する情報表示方法であって、コンピュータに、電源オン状態のときに、コンテンツに関するコンテンツ情報および電子機器に関する内部情報を含んだ情報の収集を行う情報収集ステップと、電源オン状態からスタンバイ状態に遷移するまでの間に、情報収集ステップで収集した情報を取得する情報取得ステップと、スタンバイ状態のときに、情報取得ステップで取得した情報を順に表示する表示ステップと、を含む処理を実行させることを特徴とする、コンピュータプログラムが提供される。
【００２３】
また、上記課題を解決するために、本発明の別の観点によれば、コンテンツの蓄積を行い、電源状態として電源オン状態およびスタンバイ状態を含むコンピュータに情報を表示する情報表示方法であって、コンピュータに、電源オン状態のときに、コンテンツに関するコンテンツ情報および電子機器に関する内部情報を含んだ情報の収集を行う情報収集ステップと、電源オン状態からスタンバイ状態に遷移するまでの間に、情報収集ステップで収集した情報を、ネットワークで接続された他の機器に転送して表示させる情報転送ステップと、を含む処理を実行させることを特徴とする、コンピュータプログラムが提供される。
【発明の効果】
【００２４】
以上説明したように本発明によれば、録画したコンテンツや録画予定のコンテンツの情報、および機器の状態に関する情報等を効果的にユーザに伝えることが可能な、新規かつ改良された情報蓄積装置、情報表示方法およびコンピュータプログラムを提供することができる。
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
（第１の実施形態）
まず、本発明の第１の実施形態にかかる、本発明の情報蓄積装置の一例である録画再生機器について説明する。図１は、本発明の第１の実施形態にかかる録画再生機器１０の外観について説明する説明図である。以下、図１を用いて本発明の第１の実施形態にかかる録画再生機器１０の外観について説明する。
【００２７】
図１に示した録画再生機器１０は、本発明の情報蓄積装置の一例であり、内部に番組を録画するためのハードディスクドライブを備える。また、録画再生機器１０は番組を録画したい映像を再生するための光ディスクを装填するためにドライブ１３２を備える。そして、録画再生機器１０は表示部１１４を備える。表示部１１４には、現在時刻、再生時間、ハードディスクや光ディスクの録画可能時間等の情報が表示される。また、本実施形態においては、表示部１１４には、録画再生機器１０に関する様々な情報も表示される。
【００２８】
以上、図１を用いて本発明の第１の実施形態にかかる録画再生機器１０の外観について説明した。次に、本発明の第１の実施形態にかかる録画再生機器１０を操作するためのリモコンの外観について説明する。
【００２９】
図２は、本発明の第１の実施形態にかかる録画再生機器１０を操作するためのリモコン１２の外観について説明する説明図である。以下、図２を用いて本発明の第１の実施形態にかかる録画再生機器１０を操作するためのリモコン１２の外観について説明する。
【００３０】
リモコン１２は、赤外線や電波などによって録画再生機器１０に対して動作指示を送出するものである。リモコン１２には多くのボタンが配置されているが、代表的なものを挙げると、青ボタン１４ａ、赤ボタン１４ｂ、緑ボタン１４ｃ、黄ボタン１４ｄ、決定ボタン１６、再生ボタン１８、スキップボタン１７、１９等が配置されている。
【００３１】
録画再生機器１０を離れた場所から操作する場合には、リモコン１２に配置されたこれらのボタンを操作することで、録画再生機器１０に対して番組の録画予約、番組の録画（いわゆるマニュアル録画）、録画した番組の再生等を行うことができる。そして、本発明の第１の実施形態では、録画再生機器１０に関する様々な情報が表示部１１４に表示されている場合に、リモコン１２に配置されたボタンを押下して録画再生機器１０に対して指示を送出することで、録画再生機器１０に対して直接的に動作を行わせることを特徴とする。
【００３２】
以上、図２を用いて本発明の第１の実施形態にかかる録画再生機器１０を操作するためのリモコン１２の外観について説明した。次に、本発明の第１の実施形態にかかる録画再生機器１０の構成について説明する。
【００３３】
図３は、本発明の第１の実施形態にかかる録画再生機器１０の構成について説明する説明図である。以下、図３を用いて本発明の第１の実施形態にかかる録画再生機器１０の構成について説明する。
【００３４】
図３に示したように、本発明の第１の実施形態にかかる録画再生機器１０は、アンスイッチド電源系１１０と、スイッチド電源系１２０と、を含んで構成される。
【００３５】
アンスイッチド電源系１１０は、録画再生機器１０の電源をオフにしても、コンセントが繋がっていて録画再生機器１０に通電が行われている限り通電される部位である。アンスイッチド電源系１１０にのみ通電が行われている状態のことを「スタンバイ状態」と称する。アンスイッチド電源系１１０は、サブマイコン１１２と、表示部１１４と、を含んで構成される。
【００３６】
サブマイコン１１２は、本発明の情報取得部の一例であり、例えばＣＰＵ（Ｃｅｎｔｒａｌ  Ｐｒｏｃｅｓｓｉｎｇ  Ｕｎｉｔ；中央演算装置）やＲＯＭ（Ｒｅａｄ  Ｏｎｌｙ  Ｍｅｍｏｒｙ）、ＲＡＭ等を備えるものであり、後述するメインマイコン１２２との間でデータの授受を行うものである。また、サブマイコン１１２は表示部１１４に表示させる情報の決定や、表示部１１４に対する情報の表示制御も行う。
【００３７】
表示部１１４は、上述したように、現在時刻、再生時間、ハードディスクや光ディスクの録画可能時間等の情報を表示するものであり、本実施形態においては、表示部１１４は、録画再生機器１０に関する様々な情報も表示するものである。表示部１１４に表示される情報は、サブマイコン１１２によって決定され、サブマイコン１１２によって表示制御が行われる。
【００３８】
一方、スイッチド電源系１２０は、録画再生機器１０の電源をオフにすると、コンセントが繋がっていて録画再生機器１０に通電が行われていても通電されない部位である。スイッチド電源系１２０に通電が行われている状態のことを「電源オン状態」と称する。スイッチド電源系１２０は、メインマイコン１２２と、ＩＤＥ（Ｉｎｔｅｇｒａｔｅｄ  Ｄｒｉｖｅ  Ｅｌｅｃｔｒｏｎｉｃｓ）コントローラ１２４と、エンコーダ１２６と、デコーダ１２８と、ＲＡＭ（Ｒａｎｄｏｍ  Ａｃｃｅｓｓ  Ｍｅｍｏｒｙ）１３０と、ドライブ１３２と、ＨＤＤ（Ｈａｒｄ  Ｄｉｓｋ  Ｄｒｉｖｅ）１３４と、チューナ１３６と、インプットコントローラ１３８と、アウトプットコントローラ１４０と、を含んで構成される。
【００３９】
メインマイコン１２２は、本発明の情報収集部、実行制御部、および表示設定部の一例であり、例えばＣＰＵ、ＲＯＭ、ＲＡＭ等を備え、数値計算や情報処理、機器制御等を行うものである。本実施形態にかかるメインマイコン１２２は、録画再生機器１０の内部の各部に接続され、録画再生機器１０の内部の各部の動作を制御する。
【００４０】
ＩＤＥコントローラ１２４は、ドライブ１３２に装填される光ディスクまたはＨＤＤ１３４に対するデータの読み書きを制御するものである。ＩＤＥコントローラ１２４は、ドライブ１３２に装填される光ディスクと、ＨＤＤ１３４とのどちらか一方に対してデータを記録するように、ドライブ１３２またはＨＤＤ１３４へのアクセスを制御する。
【００４１】
エンコーダ１２６は、ドライブ１３２に装填された光ディスクまたはＨＤＤ１３４に記録するために、映像データや音声データを所定の形式でエンコードするものであり、本実施形態においては、インプットコントローラ１３８から渡された映像データや音声データを所定の形式でエンコードする。所定の形式として、例えばＨ．２６４形式等を用いてもよい。
【００４２】
デコーダ１２８は、所定の形式でエンコードされた映像データや音声データをデコードするものであり、本実施形態においては、ドライブ１３２に装填された光ディスクまたはＨＤＤ１３４に記録された、所定の形式でエンコードされた映像データや音声データをデコードする。デコーダ１２８でデコードした映像データや音声データは、アウトプットコントローラ１４０に送る。
【００４３】
ＲＡＭ１３０は、メインマイコン１２２が数値計算や情報処理、機器制御等を行う際に使用するプログラムや演算用のパラメータのうち、基本的に各種処理の際に適宜変化するデータを格納するものである。
【００４４】
ドライブ１３２は、映像データや音声データを記録するための光ディスクが装填されるものである。ここで、ドライブ１３２に装填可能な光ディスクとしては、例えばＤＶＤやブルーレイディスク等の、数百メガ〜数十ギガバイト以上の容量を有する、記録または書き換えが可能な光ディスクがある。ドライブ１３２にかかる光ディスクを装填することで、チューナ１３６で受信した放送や、ライン入力される映像データ、音声データを光ディスクに記録することができる。
【００４５】
ＨＤＤ１３４は、映像データや音声データを記録するためのハードディスクが内蔵されているものであり、ＨＤＤ１３４に、チューナ１３６で受信した放送や、ライン入力される映像データ、音声データを光ディスクに記録することができる。
【００４６】
チューナ１３６は、録画再生機器１０が受信したアナログ放送またはデジタル放送から映像信号や音声信号を得るものである。チューナ１３６で得た映像信号や音声信号を、ドライブ１３２に装填した光ディスクやＨＤＤ１３４に記録することで、録画再生機器１０はテレビ番組の録画を行うことができる。
【００４７】
インプットコントローラ１３８は、チューナ１３６または２本のライン入力端子（ＬＩＮＥ  ＩＮ  １およびＬＩＮＥ  ＩＮ  ２）のいずれかから、映像データや音声データを入力するかをコントロールするものである。チューナ１３６または２本のライン入力端子のいずれかから映像データや音声データを入力するかは、メインマイコン１２２によって決定される。インプットコントローラ１３８でコントロールした入力元から入力される映像データや音声データは、エンコーダ１２６に送られて、所定の形式（例えば、Ｈ．２６４形式など）でエンコードされる。
【００４８】
アウトプットコントローラ１４０は、２本のライン出力端子（ＬＩＮＥ  ＯＵＴ  １およびＬＩＮＥ  ＯＵＴ  ２）のそれぞれに、デコーダ１２８でデコードした映像データや音声データを出力するかをコントロールするものである。２本のライン出力端子のそれぞれにデコードした映像データや音声データを出力するかは、メインマイコン１２２によって決定される。
【００４９】
以上、本発明の第１の実施形態にかかる録画再生機器１０の構成について説明した。次に、本発明の第１の実施形態にかかる録画再生機器１０の動作について説明する。
【００５０】
図４Ａおよび図４Ｂは、本発明の第１の実施形態にかかる録画再生機器１０の動作について説明する流れ図である。以下、図４Ａおよび図４Ｂを用いて、本発明の第１の実施形態にかかる録画再生機器１０の動作について説明する。
【００５１】
まず、主電源が入っていない状態、つまりスイッチド電源系１２０に通電されていない状態で、録画再生機器１０において何らかの処理が発生するまで待機する（ステップＳ１０２）。ここでの何らかの処理とは、スイッチド電源系１２０に通電が行われるような処理であり、例えば録画再生機器１０のユーザによる録画再生機器１０の主電源の投入、予めユーザが設定した予約録画の開始、ＥＰＧの取得等、である。
【００５２】
上記ステップＳ１０２で、スイッチド電源系１２０に通電が行われるような処理が開始されると判断すると、スイッチド電源系１２０に通電が行われ、電源がオンとなる（ステップＳ１０４）。そして、上記ステップＳ１０２で発生した、録画再生機器１０に対して要求された処理の実行を行う（ステップＳ１０６）。
【００５３】
例えば、録画再生機器１０の主電源が投入された場合であれば、スイッチド電源系１２０の各部に通電を行って、録画再生機器１０が使用可能な状態にさせる。また例えば、予めユーザが設定した予約録画の開始時刻に達した場合であれば、ユーザが設定したチャンネルの番組を設定した時刻まで設定したメディア（ドライブ１３２に装填した光ディスクまたはＨＤＤ１３４）に録画する。また例えば、ＥＰＧの取得を行う時刻に達した場合であれば、チューナ１３６でデジタル放送またはアナログ放送を受信して、受信した放送波に含まれるＥＰＧ情報を、例えばＨＤＤ１３４等に展開する。
【００５４】
録画再生機器１０に対して要求された処理の実行が行われると、その間に録画再生機器１０を使用するユーザに通達する情報をメインマイコン１２２で選択する（ステップＳ１０８）。ユーザに通達する情報の一例としては、新規録画番組総数、新規録画番組総再生時間、新規録画番組情報、録画残量時間、残量不足により録画済番組が上書きされる予定時期、未視聴の録画番組総数、未視聴の録画番組総再生時間、未視聴の録画番組情報、全録画番組総数、全録画番組総再生時間、ユーザが録画予約する可能性が高い番組の番組情報、ユーザに提供したい広告情報、録画再生機器１０の設定情報、等がある。
【００５５】
新規録画番組総数とは、録画再生機器１０の予約録画によって新たに録画される番組の総数を表す。同様に、新規録画番組総再生時間は録画再生機器１０の予約録画によって新たに録画された番組の総再生時間を表し、新規録画番組情報は録画再生機器１０の予約録画によって新たに録画された番組の情報を表す。番組の情報はメインマイコン１２２の内部のメモリに展開されたＥＰＧ情報から取得する。
【００５６】
録画再生機器１０を使用するユーザに通達する情報のメインマイコン１２２での選択が完了すると、メインマイコン１２２で選択した情報から管理情報を作成する（ステップＳ１１０）。作成した管理情報は、選択した情報とともにメインマイコン１２２の内部のメモリに格納しておく。本実施形態における管理情報とは、例えばユーザに通達する情報の管理番号、ユーザに通達する情報を表示部１１４に表示する頻度、ユーザに通達する情報を表示部１１４に表示する順番等である。管理番号とは、メインマイコン１２２からサブマイコン１１２に、選択した情報を転送する順番のことである。
【００５７】
図５は、メインマイコン１２２で選択した情報と管理情報との関係の一例について表で示す説明図である。図５に示したように、メインマイコン１２２で選択した情報と管理情報と関連付けて、メインマイコン１２２の内部のメモリに格納して記録しておく。
【００５８】
図５に示した表において、「表示情報」は表示部１１４に表示するメッセージの内容であり、「表示順位」は表示部１１４に表示する順番であり、「表示頻度」は表示部１１４にメッセージを表示する頻度を示す。表示頻度や表示順位は、ユーザの好みによって設定できるようにしてもよく、そのためにメインマイコン１２２の内部に「表示順位」、「表示頻度」を設定するための表示設定部を設けてもよく、表示設定部はユーザが設定した情報の表示頻度や表示順位を反映させるようにしてもよい。また、表示設定部は情報の表示の有無を設定できるようにしてもよい。そして、表示設定部における表示頻度や表示の有無の設定は、両方可能としてもよく、どちらか一方のみ可能としてもよい。
【００５９】
そして、メインマイコン１２２に記録したこれらの情報を、後にメインマイコン１２２からサブマイコン１１２に転送する。転送するタイミングは、録画再生機器１０の電源状態が電源オン状態からスタンバイ状態に遷移するまでの間であればよい。例えば、後述するように、ユーザから要求された処理の実行が終了し、録画再生機器１０の電源状態が電源オン状態からスタンバイ状態に遷移するまでの間に、メインマイコン１２２からサブマイコン１１２に情報を転送してもよい。
【００６０】
管理情報を作成すると、次に、メインマイコン１２２で選択した情報および管理情報を、サブマイコン１１２が表示部１１４に表示するのに適した形式に変換する（ステップＳ１１２）。表示部１１４を駆動するためのサブマイコン１１２は、消費電力が少なく安価なマイコンが使用されることが多く、そのために漢字を表示させるための漢字ＲＯＭを搭載していなかったり、演算速度がメインマイコンに比べて遅かったりする。そのため、メインマイコン１２２で予めサブマイコン１１２が表示部１１４に表示するのに適した形式に変換しておくことで、サブマイコン１１２から表示部１１４に情報を表示する際の処理速度の低下や、漢字ＲＯＭ搭載に掛かるコストアップを抑えることができる。
【００６１】
情報の変換が完了すると、変換した情報をメインマイコン１２２からサブマイコン１１２に転送する（ステップＳ１１４）。サブマイコン１１２は、転送された情報を内部のメモリに格納する。その後、上記ステップＳ１０６で実行が開始された処理が完了すると、スイッチド電源系１２０に対する通電を止め、スイッチド電源系１２０への電源供給をオフにする（ステップＳ１１６）。スイッチド電源系１２０への電源供給をオフにすることで、録画再生機器１０はスリープ状態となる。
【００６２】
スイッチド電源系１２０への電源供給がオフになり、録画再生機器１０がスリープ状態となっている間、サブマイコン１１２は、メインマイコン１２２から送られてきた管理情報に基づいて、メインマイコン１２２で選択した情報の中から、表示部１１４へ表示する情報を選択し（ステップＳ１１８）、ステップＳ１１８で選択した情報を表示部１１４に順次表示させる（ステップＳ１２０）。表示部１１４に表示される情報を見て、録画再生機器１０のユーザはリモコン１２や録画再生機器１０本体を操作することで、録画再生機器１０はスイッチド電源系１２０への電源供給を開始し、ユーザが操作した時点で表示部１１４に表示されている情報に対応した動作が録画再生機器１０で行われる。
【００６３】
録画再生機器１０は、ユーザからのアクションが発生するまで待機し（ステップＳ１２２）、ユーザからのアクションが発生すると、スイッチド電源系１２０への電源供給を開始し、スイッチド電源系１２０の電源をオンする（ステップＳ１２４）。そして、上記ステップＳ１２２において、ユーザからのアクションが発生した時点で、表示部１１４に表示されていた情報を、サブマイコン１１２からメインマイコン１２２に転送する（ステップＳ１２６）。ここで、サブマイコン１１２からメインマイコン１２２に転送する情報は、表示部１１４に表示されていた情報そのものの代わりに、当該情報に対応する管理番号であってもよい。
【００６４】
メインマイコン１２２では、サブマイコン１１２からの転送を受けた情報に基づいて録画再生機器１０の動作を決定し（ステップＳ１２８）、決定した動作を実行する（ステップＳ１３０）。以下、本発明の第１の実施形態にかかる、表示部１１４に表示されていた情報と、情報に基づく動作との関係の一例を示す。なお、以下に示す例は動作の一例に過ぎず、本発明はかかる例に限定されないことは言うまでもない。
【００６５】
新規録画番組総数や、新規録画番組総再生時間が表示部１１４に表示されていた場合には、例えばリモコン１２の決定ボタン１６を押下すると、録画再生機器１０の予約録画によって新たに録画された番組の一覧を表示する画面を、録画再生機器１０に接続されたテレビ等に表示させる処理を実行する。
【００６６】
新規録画番組情報が表示部１１４に表示されていた場合には、例えばリモコン１２の決定ボタン１６や再生ボタン１８を押下すると、当該番組の再生を開始する処理や、当該番組の番組情報を録画再生機器１０に接続されたテレビ等に表示させる処理を行う。
【００６７】
録画残量時間や、残量不足により録画済番組が上書きされる予定時期の情報が表示部１１４に表示されていた場合には、例えばリモコン１２の決定ボタン１６を押下すると、最も古く録画された番組を消去するための画面を録画再生機器１０に接続されたテレビ等に表示させる処理や、録画された番組を古い順に並べた画面を録画再生機器１０に接続されたテレビ等に表示させる処理等を行う。
【００６８】
未視聴の録画番組総数や、未視聴の録画番組総再生時間が表示部１１４に表示されていた場合には、例えばリモコン１２の決定ボタン１６を押下すると、未視聴の録画番組の一覧画面を、録画再生機器１０に接続されたテレビ等に表示させる処理を行う。
【００６９】
全録画番組総数や、全録画番組総再生時間が表示部１１４に表示されていた場合には、例えばリモコン１２の決定ボタン１６を押下すると、録画した番組を新しい順に並べた画面を、録画再生機器１０に接続されたテレビ等に表示させる処理等を行う。
【００７０】
ユーザが録画予約する可能性が高い番組の番組情報が表示部１１４に表示されていた場合には、例えばリモコン１２の決定ボタン１６を押下すると、当該番組の予約録画画面を、録画再生機器１０に接続されたテレビ等に表示させる処理等を行う。
【００７１】
ユーザに提供したい広告情報が表示部１１４に表示されていた場合には、例えばリモコン１２の決定ボタン１６を押下すると、当該広告を録画再生機器１０に接続されたテレビ等に表示させる処理等を行う。
【００７２】
録画再生機器１０の設定情報が表示部１１４に表示されていた場合には、例えばリモコン１２の決定ボタン１６を押下すると、当該設定の設定変更画面を録画再生機器１０に接続されたテレビ等に表示させる処理等を行う。
【００７３】
図６は、ユーザが再生する可能性が高い番組の番組情報が表示部１１４に表示されている場合を説明する説明図であり、図７は、図６に示したような情報が表示部１１４に表示されている場合において、ユーザがリモコン１２の決定ボタン１６を押下したときに録画再生機器１０に接続されたテレビ等に表示される画面の一例について説明する説明図である。
【００７４】
図７は、表示部１１４に表示された、録画済みの番組を再生する再生確認ウィンドウ１４２を示す説明図である。本実施形態にかかる録画再生機器１０は、ユーザの嗜好に基づいて、ユーザが視聴する可能性が高い番組を自動的に録画する機能を有する場合もある。録画再生機器１０で自動的に録画された番組は、録画再生機器１０の内部（例えば、ＨＤＤ１３４）に蓄積されていく。なお、ユーザの嗜好に基づく録画再生機器への番組の自動録画機能については、周知の技術であるので詳細な説明は省略する。
【００７５】
これまで、録画再生機器で自動的に録画された番組も含め、ユーザが録画再生機器で番組を再生しようとする場合には、録画再生機器の電源を入れ、メニュー等で録画済みの番組の一覧画面を開いて、どのような番組が録画されたかを確認する必要があり、さらに、当該一覧画面から再生したい番組を選択する必要があった。しかし、本発明の第１の実施形態によれば、ユーザが視聴する可能性が高く、ユーザの嗜好に基づいて録画再生機器１０で自動的に録画された番組の番組情報が表示部１１４に表示されている場合には、ユーザが例えばリモコン１２の決定ボタン１６を押下することによって、録画再生機器１０に接続されたテレビ等に、録画済みの番組の一覧画面ではなく、図７に示したような、録画した番組を再生するかどうかを確認するための再生確認ウィンドウ１４２を表示させてもよい。そして、画面に表示された再生確認ウィンドウ１４２を見たユーザは、当該番組の再生を開始する場合には「はい」を決定ボタン１６で選択することで、録画再生機器１０に自動的に録画された番組を録画再生機器１０に接続されたテレビ等に再生表示させることができる。なお、ユーザの嗜好に基づいて録画再生機器１０で自動的に録画された番組の番組情報が表示部１１４に表示されている場合において、ユーザが例えばリモコン１２の再生ボタン１８を押下したときには、当該番組を録画再生機器１０に接続されたテレビ等に直接再生表示させてもよい。
【００７６】
このように、ユーザが視聴する可能性が高く、録画再生機器１０に自動的に録画された番組の番組情報が表示部１１４に表示されている場合にユーザがリモコン１２の決定ボタン１６を押下すると、再生確認ウィンドウ１４２のようなユーザに対してコンテンツの再生を促すような画面を録画再生機器１０に接続されたテレビ等に再生表示させることで、ユーザの操作が簡略化され、ユーザに対する利便性が向上する効果を有する。もちろん、録画再生機器１０が自動的に録画した番組の番組情報だけでなく、ユーザが手動で録画予約を行った番組の番組情報を、表示部１１４に表示させ、上述した処理と同様の処理を行ってもよい。
【００７７】
なお、決定ボタン１６以外のボタンを押下することで、次のような動作も実現することができる。
【００７８】
例えば、リモコン１２の青ボタン１４ａを押下することで、表示部１１４に表示される情報を先頭から表示し直す処理を行ってもよい。
【００７９】
また例えば、リモコン１２の赤ボタン１４ｂを押下することで、録画再生機器１０の電源をオンにして（つまりスイッチド電源系１２０に通電して）、表示部１１４に表示されている情報に対応する録画済み番組の再生処理を行ってもよい。
【００８０】
また例えば、リモコン１２の緑ボタン１４ｃを押下することで、録画再生機器１０の電源をオンにして（つまりスイッチド電源系１２０に通電して）、表示部１１４に表示されている情報の詳細を、録画再生機器１０に接続されたテレビ等に表示させる処理を行ってもよい。
【００８１】
また例えば、リモコン１２の黄ボタン１４ｄやスキップボタン１７、１９を押下することで、表示部１１４に表示されている情報をスキップして、次の情報を表示させる処理を行ってもよい。
【００８２】
以上、図４Ａおよび図４Ｂを用いて、本発明の第１の実施形態にかかる録画再生機器１０の動作について説明した。なお、上述した一連の動作は、録画再生機器１０の内部、例えばメインマイコン１２２やサブマイコン１１２の内部に格納されたコンピュータプログラムを、順次読み出すことによって実行してもよい。
【００８３】
以上説明したように、本発明の第１の実施形態によれば、録画再生機器１０のユーザが、録画再生機器１０の電源を投入したり、番組情報を入手する操作を行ったりする前に、情報を表示部１１４に表示させることで、ユーザに情報を伝達することができる。表示部１１４に情報を表示しているときには、スイッチド電源系１２０には通電されていない状態であるので、録画再生機器１０の消費電力を抑えることができる。また、ユーザは表示部１１４に表示された内容を確認し、リモコン１２の決定ボタン１６等を押下することで、複雑なメニュー画面等を経由することなく、ユーザが行いたい処理を直接実行することが可能となる。
【００８４】
（第２の実施形態）
本発明の第１の実施形態では、メインマイコン１２２が収集した情報をサブマイコン１１２に転送し、サブマイコン１１２から表示部１１４に情報を表示させていた。本発明の第２の実施形態では、メインマイコン１２２が収集した情報を携帯端末等の他の機器に転送し、当該携帯端末に情報を表示させ、当該携帯端末から操作を行わせることを特徴とする、録画再生機器について説明する。
【００８５】
図８は、本発明の第２の実施形態にかかる録画再生機器２０および携帯端末２００について説明する説明図であり、図９は、本発明の第２の実施形態にかかる携帯端末２００のハードウェア構成について説明する説明図である。以下、図８および図９を用いて本発明の第２の実施形態にかかる録画再生機器２０および携帯端末２００について説明する。
【００８６】
図８に示した本発明の第２の実施形態にかかる録画再生機器２０は、図３に示した本発明の第１の実施形態にかかる録画再生機器１０と比べて、アンスイッチド電源系１１１に受信部１１３が、スイッチド電源系１２１に送信部１２３が、それぞれ追加されている。録画再生機器２０は、録画再生機器１０と同様に、通電の状態として、スタンバイ状態および電源オン状態を有する。また、本発明の第２の実施形態にかかるメインマイコン１２２は、本発明の情報収集部、実行制御部、および転送設定部の一例である。
【００８７】
送信部１２３は、メインマイコン１２２で選択した録画再生機器２０を使用するユーザに通達する情報と、メインマイコン１２２で選択した情報から作成した管理情報とを、携帯端末２００に無線で送信するものである。
【００８８】
そして、受信部１１３は、携帯端末２００から送信された、録画再生機器２０に対する動作指示を無線で受信するものである。受信部１１３で受信した動作指示は、サブマイコン１１２が受け取り、受け取った情報をサブマイコン１１２からメインマイコン１２２に転送することで、スイッチド電源系１２１に通電が開始され、携帯端末２００で指示された録画再生機器２０に対する動作指示に対する動作が、録画再生機器２０で開始される。
【００８９】
一方、携帯端末２００は、主に携帯して持ち運んで使用するための端末であり、無線通信のインタフェースを備える端末であることが好ましい。携帯端末２００としては、携帯電話や携帯型のゲーム機であってもよい。
【００９０】
図９に示したように、本発明の一実施形態にかかる携帯端末２００は、ＣＰＵ２０２と、ＲＯＭ２０４と、ＲＡＭ２０６と、内部バス２０８と、入出力インタフェース２１０と、表示部２１２と、入力部２１４と、音声出力部２１５と、ドライブ２１７と、ネットワークインタフェース２１８と、外部インタフェース２１９と、を含んで構成される。
【００９１】
ＣＰＵ２０２は、数値計算や情報処理、機器制御等を行うものであり、ＲＯＭ２０４に格納されたプログラムや、ＲＡＭ２０６に格納されたデータを順次読み出すことによって、また、例えば携帯端末２００のユーザが入力部２１４から入力した指令に対応する信号や、ネットワークインタフェース２１８を介して録画再生機器２０から送信された信号に基づいて、数値計算や情報処理、機器制御を行う。
【００９２】
ＲＯＭ２０４は、ＣＰＵ２０２が数値計算や情報処理、機器制御等を行う際に使用するプログラムや演算用のパラメータのうち、基本的に変更されず固定のデータを格納するものである。また、ＲＡＭ２０６は、ＣＰＵ２０２が数値計算や情報処理、機器制御等を行う際に使用するプログラムや演算用のパラメータのうち、基本的に各種処理の際に適宜変化するデータを格納するものである。
【００９３】
内部バス２０８は、携帯端末２００の内部でデータの交換を行う際の経路である。ＣＰＵ２０２、ＲＯＭ２０４、ＲＡＭ２０６は、内部バス２０８によってそれぞれ相互に接続されている。また、内部バスは入出力インタフェース２１０とも接続されており、入出力インタフェース２１０を介して送られる、入力部２１４から入力した指令に対応する信号や、ネットワークインタフェース２１８を介して録画再生機器２０から送信された信号をＣＰＵ２０２に渡す。
【００９４】
入出力インタフェース２１０は、情報の入出力のやり取りの仲介を行うものである。入出力インタフェース２１０は、表示部２１２、入力部２１４、音声出力部２１５、ドライブ２１７、ネットワークインタフェース２１８および外部インタフェース２１９に接続される。また入出力インタフェース２１０は、上述のように内部バス２０８とも接続されており、入力部２１４から入力した指令に対応する信号や、ネットワークインタフェース２１８を介して録画再生機器２０から送信された信号を、内部バス２０８を介してＣＰＵ２０２に渡す。
【００９５】
表示部２１２は、入力部２１４から入力された内容や、ＣＰＵ２０２で数値計算や情報処理、機器制御等を行った結果等に関する情報を表示するものである。表示部２１２は、例えば液晶表示装置や有機ＥＬ表示装置等からなる。
【００９６】
入力部２１４は、例えば携帯端末２００のユーザが、ＣＰＵ２０２に対して各種の指令を入力する際に操作されるものである。入力部２１４としては、例えばボタン、キーボードやタッチパッド等からなる。
【００９７】
音声出力部２１５は、携帯端末２００において音声の出力を伴うような処理を実行した際に、当該処理において発生する音声を出力するものである。ドライブ２１７は、持ち運び可能な記録媒体が装着され、装着された記録媒体と携帯端末２００との間でデータの授受を行うものである。持ち運び可能な記録媒体として、磁気ディスク、光ディスク、光磁気ディスク、半導体メモリ等を用いてもよく、ドライブ２１７はこれらの記録媒体を読み取ることができるような装置を用いることができる。
【００９８】
ネットワークインタフェース２１８は、録画再生機器２０等との間で無線によって情報の授受を行うものである。外部インタフェース２１９は、携帯端末２００に接続して使用する周辺機器との情報のやり取りの仲介を行うものである。外部インタフェース２１９として、例えばＵＳＢ（Ｕｎｉｖｅｒｓａｌ  Ｓｅｒｉａｌ  Ｂａｓ）ポート等からなる。
【００９９】
なお、図９に示した携帯端末２００ではハードディスクドライブ（ＨＤＤ）を備えていないが、図９に示した携帯端末２００の構成は本発明の一例に過ぎないことは言うまでも無く、本発明においてはハードディスクドライブを備えるような携帯端末を用いてもよい。
【０１００】
以上、図８および図９を用いて本発明の第２の実施形態にかかる録画再生機器２０および携帯端末２００について説明した。次に、本発明の図８および図９を用いて本発明の第２の実施形態にかかる録画再生機器２０および携帯端末２００の動作について説明する。
【０１０１】
図１０Ａおよび図１０Ｂは、本発明の第２の実施形態にかかる録画再生機器２０および携帯端末２００の動作について説明する流れ図である。以下、図１０Ａおよび図１０Ｂを用いて、本発明の第２の実施形態にかかる録画再生機器２０および携帯端末２００の動作について説明する。
【０１０２】
録画再生機器２０において何らかの処理が発生するまでの待機から、メインマイコン１２２で選択した情報および管理情報の変換までは、図４Ａで示した本発明の第１の実施形態にかかる録画再生機器１０の動作と同様である（ステップＳ２０２、ステップＳ２０４、ステップＳ２０６、ステップＳ２０８、ステップＳ２１０、ステップＳ２１２）。
【０１０３】
そして、ステップＳ２１２におけるメインマイコン１２２で選択した情報および管理情報の変換が完了すると、これらの変換した情報を、メインマイコン１２２から送信部１２３を介して携帯端末２００に送信する（ステップＳ２１４）。携帯端末２００は、転送された情報を内部のＲＯＭ２０４またはＲＡＭ２０６等に格納する。その後、上記ステップＳ１０６で実行が開始された処理が完了すると、スイッチド電源系１２０に対する通電を止め、スイッチド電源系１２１への電源供給をオフにする（ステップＳ２１６）。
【０１０４】
なお、本実施形態においても、情報の転送頻度や転送順位は、ユーザの好みによって設定できるようにしてもよく、そのためにメインマイコン１２２の内部に「転送順位」、「転送頻度」を設定するための転送設定部を設けてもよい。また、転送設定部はユーザが設定した情報の転送頻度や転送順位を反映させるようにしてもよい。また、転送設定部は情報の転送の有無を設定できるようにしてもよい。そして、転送設定部における転送頻度や転送の有無の設定は、両方可能としてもよく、どちらか一方のみ可能としてもよい。
【０１０５】
スイッチド電源系１２１への電源供給がオフになり、録画再生機器２０がスリープ状態となっている間、携帯端末２００は、メインマイコン１２２から送られてきた管理情報に基づいて、メインマイコン１２２で選択した情報の中から、表示部２１２へ表示する情報を選択し（ステップＳ２１８）、ステップＳ２１８で選択した情報を表示部２１２に順次表示させる（ステップＳ２２０）。表示部２１２に表示される情報を見て、録画再生機器１０のユーザは携帯端末２００を操作することで、録画再生機器２０はスイッチド電源系１２１への電源供給を開始し、ユーザが操作した時点で表示部２１２に表示されている情報に対応した動作が録画再生機器２０で行われる。
【０１０６】
録画再生機器２０は、携帯端末２００からのユーザからのアクションが発生するまで待機し（ステップＳ２２２）、携帯端末２００からのユーザからのアクションが発生すると、スイッチド電源系１２１への電源供給を開始し、スイッチド電源系１２１の電源をオンする（ステップＳ２２４）。そして、上記ステップＳ２２２において、ユーザからのアクションが発生した時点で、表示部２１２に表示されていた情報を、携帯端末２００から録画再生機器２０に送信する（ステップＳ２２６）。ここで、携帯端末２００から録画再生機器２０に転送する情報は、表示部２１２に表示されていた情報そのものの代わりに、当該情報に対応する管理番号であってもよい。
【０１０７】
録画再生機器２０は、受信部１１３で携帯端末２００から送信された情報を受信し、受信した情報は受信部１１３からサブマイコン１１２に送られ、サブマイコン１１２からメインマイコン１２２に転送される。メインマイコン１２２は、転送を受けた情報に基づいて録画再生機器２０の動作を決定し（ステップＳ２２８）、決定した動作を実行する（ステップＳ２３０）。
【０１０８】
表示部２１２に表示されていた情報と、情報に基づく録画再生機器２０の動作との関係は、上述した本発明の第１の実施形態と同様のものであってもよい。なお、上述の本発明の第１の実施形態と同様に、本発明の第１の実施形態で示した例は録画再生機器２０の動作の一例に過ぎず、本発明はかかる例に限定されないことは言うまでもない。
【０１０９】
以上、図１０Ａおよび図１０Ｂを用いて、本発明の第２の実施形態にかかる録画再生機器２０および携帯端末２００の動作について説明した。なお、上述した一連の動作は、録画再生機器１０の内部、例えばメインマイコン１２２やサブマイコン１１２の内部に格納されたコンピュータプログラムを、順次読み出すことによって実行してもよい。
【０１１０】
以上説明したように、本発明の第２の実施形態によれば、録画再生機器２０のユーザが、録画再生機器２０の電源を投入したり、番組情報を入手する操作を行ったりする前に、情報を携帯端末２００の表示部２１２に表示させることで、ユーザに情報を伝達することができる。表示部２１２に情報を表示しているときには、スイッチド電源系１２１には通電されていない状態であるので、録画再生機器２０の消費電力を抑えることができる。また、ユーザは表示部２１２に表示された内容を確認し、携帯端末２００の入力部２１４を操作することで、複雑なメニュー画面等を経由することなく、ユーザが行いたい処理を直接実行することが可能となる。
【０１１１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【０１１２】
本発明は、情報蓄積装置、情報表示方法およびコンピュータプログラムに適用可能であり、特に映像等のコンテンツを蓄積する情報蓄積装置、および映像等のコンテンツを蓄積する情報蓄積装置における情報表示方法並びにコンピュータプログラムに適用可能である。
【図面の簡単な説明】
【０１１３】
【図１】本発明の第１の実施形態にかかる録画再生機器１０の外観について説明する説明図である。
【図２】本発明の第１の実施形態にかかる録画再生機器１０を操作するためのリモコン１２の外観について説明する説明図である。
【図３】本発明の第１の実施形態にかかる録画再生機器１０の構成について説明する説明図である。
【図４Ａ】本発明の第１の実施形態にかかる録画再生機器１０の動作について説明する流れ図である。
【図４Ｂ】本発明の第１の実施形態にかかる録画再生機器１０の動作について説明する流れ図である。
【図５】メインマイコン１２２で選択した情報と管理情報との関係の一例について表で示す説明図である。
【図６】ユーザが録画予約する可能性が高い番組の番組情報が表示部１１４に表示されている場合を説明する説明図である。
【図７】予約録画確認ウィンドウを示す説明図である。
【図８】本発明の第２の実施形態にかかる録画再生機器２０および携帯端末２００について説明する説明図である。
【図９】本発明の第２の実施形態にかかる携帯端末２００のハードウェア構成について説明する説明図である。
【図１０Ａ】本発明の第２の実施形態にかかる録画再生機器２０および携帯端末２００の動作について説明する流れ図である。
【図１０Ｂ】本発明の第２の実施形態にかかる録画再生機器２０および携帯端末２００の動作について説明する流れ図である。
【符号の説明】
【０１１４】
１０、２０    録画再生機器
１２    リモコン
１４ａ    青ボタン
１４ｂ    赤ボタン
１４ｃ    緑ボタン
１４ｄ    黄ボタン
１６    決定ボタン
１７、１９    スキップボタン
１８    再生ボタン
１１０、１１１    アンスイッチド電源系
１１２    サブマイコン
１１３    受信部
１１４    表示部
１２０、１２１    スイッチド電源系
１２２    メインマイコン
１２３    送信部
１２４    ＩＤＥコントローラ
１２６    エンコーダ
１２８    デコーダ
１３０    ＲＡＭ
１３２    ドライブ
１３４    ＨＤＤ
１３６    チューナ
１３８    インプットコントローラ
１４０    アウトプットコントローラ
２００    携帯端末
２０２    ＣＰＵ
２０４    ＲＯＭ
２０６    ＲＡＭ
２０８    内部バス
２１０    入出力インタフェース
２１２    表示部
２１４    入力部
２１５    音声出力部
２１７    ドライブ
２１８    ネットワークインタフェース
２１９    外部インタフェース
【図１】
2009124508.tif 000003
【図２】
2009124508.tif 000004
【図３】
2009124508.tif 000005
【図４Ａ】
2009124508.tif 000006
【図４Ｂ】
2009124508.tif 000007
【図５】
2009124508.tif 000008
【図６】
2009124508.tif 000009
【図７】
2009124508.tif 000010
【図８】
2009124508.tif 000011
【図９】
2009124508.tif 000012
【図１０Ａ】
2009124508.tif 000013
【図１０Ｂ】
2009124508.tif 000014